(57)【要約】【目的】本発明は、部材の表面に付着する異物を、部材を傷つけることなく、簡単、かつ従来に比較してより確実性をもって除去できる異物除去装置を提供することを目的とする。【構成】本発明にかかる光学部材の異物除去装置は、スペーサ（１００）を用いて、例えば、その先端部がテーパ状に形成された吸引口を有するクリーナヘッド（１１）を介して、部材に付着した異物を吸引する吸引手段（１２）を有して構成される。【選択図】    図５
2004330055.tif 000002
【特許請求の範囲】
【請求項１】
吸引口を有するクリーナヘッドと、
前記クリーナヘッドを介して、光学部材に付着した異物を吸引する吸引手段と、
前記クリーナヘッドの先端に配置され、前記異物の吸引時に前記クリーナヘッドと前記光学部材とを離間させる為のスペーサ
とを有することを特徴とする異物除去装置。
【請求項２】
吸引口を有するクリーナヘッドと、
前記クリーナヘッドを介して、機器内部に装着された光学部材に付着した異物を吸引する吸引手段と、
前記クリーナヘッドの先端に配置され、前記異物の吸引時に前記クリーナヘッドと前記光学部材とを離間させる為のスペーサ
とを有することを特徴とする異物除去装置。
【請求項３】
請求項１、または請求項２記載の異物除去装置において、
前記スペーサの少なくとも前記光学部材との接触面は、
柔軟性部材で形成されることを特徴とする異物除去装置。
【請求項４】
請求項１、または請求項２記載の異物除去装置において、
前記クリーナヘッドの吸引口は、先端がテーパ状であることを特徴とする異物除去装置。
【請求項５】
請求項４記載の異物除去装置において、
前記クリーナヘッドは、前記吸引口近傍にクリーニングブラシが配設されることを特徴とする異物除去装置。
【請求項６】
請求項５記載の異物除去装置において、
前記クリーニングブラシが、前記スペーサの機能を有することを特徴とする異物除去装置。
【請求項７】
請求項１、または請求項２記載の異物除去装置において、
前記クリーナヘッドは、前記光学部材を除電する除電手段を有することを特徴とする異物除去装置。
【請求項８】
請求項１、または請求項２記載の異物除去装置において、
前記クリーナヘッドは、前記光学部材に超音波を照射する超音波発生手段を有することを特徴とする異物除去装置。
【発明の詳細な説明】
【０００１】
【発明の属する技術分野】
本発明は、光学像を電気信号に変換する画像入力装置や電子カメラなどの光学機器において、光電変換素子や、その周辺光学部材の表面に付着したゴミや汚れ等の異物を除去する異物除去装置に関する。
【０００２】
【従来の技術】
撮影レンズの交換が可能なディジタルスチルカメラ（以下「レンズ交換式ＤＳＣ」と称する）が知られている。レンズ交換式ＤＳＣでは、撮影レンズを外したときにゴミなどの異物が、ミラーボックス内に侵入しやすい。
【０００３】
また、ミラーボックス内でミラーや撮影レンズの絞りを制御する可動機構が作動する為、ミラーボックス内部でゴミが発生することがある。
これらの異物が撮影レンズの焦点面近傍、即ちＣＣＤなどの光電変換素子の受光面近傍に付着すると、光電変換によって得られた画像に写り込みが発生することがある。
【０００４】
同様に、ファクシミリやスキャナなどの画像入力装置においても、被写体である原稿の搬送や、原稿読取ユニットの稼動の際に、可動部の摩擦等によって異物が発生し、これが光電変換素子の受光面近傍や、被写体載置用ガラスに付着すると、写り込みが発生することがある。
【０００５】
そこで、従来、アルコールなどの有機溶剤を含ませたクリーニングペーパーを用いて、付着した異物を拭取ることが行われていた。
しかしながら、この方法によれば、拭きむらが残った場合、撮像画面に写り込みが発生してしまう可能性があった。
【０００６】
そこで、この問題点を解決して異物を除去する技術として、例えば、下記特許文献１には、空気を流入する流入口と、空気を排出する排出口とを設けて、
３本の撮像管が取り付けられるハウジング内の異物を除去する技術が開示されている。
【０００７】
しかしながら、上記公報に開示される技術を用いて異物を除去しようとしても、流入口から排出口に至る空気の流路が適切に確保されていないと、異物が付着部材から剥離されず、機器内部に留まってしまう可能性があった。
【０００８】
【特許文献１】
実開平５−６８１７７号公報
【０００９】
【発明が解決しようとする課題】
このように機器内部に残留した異物を、ブロアを用いて吹き飛ばした場合には、吹き飛ばされた異物が別の部材に再付着してしまう可能性がある。
【００１０】
機器内部に残存する異物を確実性をもって除去する為には、光学部材に近接させた吸引口から、付着した異物を吸引することが望ましい。
しかしながら、上記のレンズ交換式ＤＳＣのミラーボックスような小空間に、吸引口を具備した吸引具を挿入すると、光学的ローパスフィルタ、撮像素子などの部材を傷つけてしまう可能性があった。
【００１１】
このような光学部材の傷は、付着された異物と共に、撮像画像の画質に重大な影響を及ぼす。
本発明は、部材の表面に付着する異物を、部材表面を傷つけることなく、簡単、かつ従来に比較してより確実性をもって除去できる装置を提供することを目的とする。
【００１２】
【課題を解決するための手段】
上記目的を達成する為に、第１発明は、吸引口（２０）を有するクリーナヘッド（１１）と、クリーナヘッド（１１）を介して、光学部材（８）に付着した異物を吸引する吸引手段（１０，１４）と、クリーナヘッド（１１）の先端に配置され、異物の吸引時に、クリーナヘッド（１１）と光学部材（８）とを離間させる為のスペーサ（１００）とを有することを特徴とする。
【００１３】
第２発明は、吸引口（２０）を有するクリーナヘッド（１１）と、クリーナヘッド（１１）を介して、機器内部に装着された光学部材（８）に付着した異物を吸引する吸引手段（１０，１４）と、クリーナヘッド（１１）の先端に配置され、
異物の吸引時に、クリーナヘッド（１１）と光学部材（８）とを離間させる為のスペーサ（１００）とを有することを特徴とする。
【００１４】
第３発明は、第１、または第２発明において、スペーサ（１００）の少なくとも光学部材（８）との接触面は、柔軟性部材で形成されることを特徴とする。
第４発明は、第１、または第２発明において、クリーナヘッド（１１）の吸引口は、先端がテーパ状であることを特徴とする。
【００１５】
第５発明は、第４発明において、クリーナヘッド（１１）は、吸引口（２０）近傍にクリーニングブラシ（２１）が配設されることを特徴とする。
第６発明は、第５発明において、クリーニングブラシ（２１）が、クリーナヘッド（１１）と光学部材（８）とを離間させるスペーサの機能を有することを特徴とする。
【００１６】
第７発明は、第１、または第２発明において、クリーナヘッド（１１）は、光学部材（８）を除電する除電手段（１５、または金属ブラシ）を有することを特徴とする。
【００１７】
第８発明は、第１、または第２発明において、クリーナヘッド（１１）は、光学部材（８）に超音波を照射する超音波発生手段（１６）を有することを特徴とする。
【００１８】
【発明の実施の形態】
以下、本発明の実施の形態について、図１に示されるレンズ交換式ＤＳＣを例にとって説明する。
【００１９】
図１は、レンズ交換式ＤＳＣの側面図である。
レンズ２は、レンズマウント３を介して、カメラ本体１に着脱可能に装着される。
【００２０】
レンズ２を介して得られた不図示の被写体の像は、クイックリターンミラー４、
ペンタプリズム５で反射され、接眼レンズ６を介して、撮影者によって観察可能な構成とされている。
【００２１】
撮影者によって、操作部材２２が操作されると、クイックリターンミラー４が、
図１に矢印で示す方向に退避されると同時に、シャッタ７が設定された時間開き、
光学的ローパスフィルタ（以下、光学的ＬＰＦと記す）８を介して、ＣＣＤ９の撮像面に、被写体像が結像される。
【００２２】
ＣＣＤ９の撮像面上に結像された被写体像は、ＣＣＤ９によって光電変換されて電気信号に変換された後、所定の信号処理が施され、不図示の記憶媒体にディジタル信号として記憶される。
【００２３】
光学的ＬＰＦ８は、ＣＣＤ９で被写体像を撮像する際に発生するモアレを低減させる為に、図１の左方向（Ａ面）から入射される光学像の低周波数成分のみを透過させ、高周波数成分を低減させる光学素子である。
【００２４】
一般的に、光学的ＬＰＦ８としては、複屈折特性を有する水晶板などの結晶が用いられる。これらの結晶は、圧電効果を有している為、振動などによって結晶自体が帯電しやすく、また帯電した電荷が逃げにくいという性質を有する。
【００２５】
光学的ＬＰＦ８は、例えば、撮像管等の場合のように、撮像素子が画素構造を有していない場合等には、必ずしも必要ではない。
また、ＣＣＤ９のパッケージの材質としては、プラスティックやセラミクスなどの絶縁材料が用いられている為、光電変換素子が帯電した場合に、電荷が逃げにくい。
【００２６】
以下、本発明によるクリーナの構成について説明する。
図２、図３は、本発明によるクリーナの構成例を説明する説明図である。
図２のクリーナは、ファン１２によって生成される空気流を排出する排出口１３を有するクリーナ本体１０と、クリーナヘッド１１とが一体に構成されている。
【００２７】
一方、図３のクリーナは、図２に示されるクリーナ本体と同様の構成のクリーナ本体１０と、クリーナヘッド１１とが分離した構成とされており、両者は、例えばチューブ、パイプ等で構成される結合部材１４によって、結合された構成となっている。
【００２８】
図２、または図３に示されるクリーナヘッド１１の先端を、異物の付着した部材に近接させることで、ファン１２の回転によって生成される空気流によって部材上の異物を吸い取り、排出口１３から吸引された異物を排出する。
【００２９】
特に、図３に示す構成のクリーナによれば、クリーナヘッド１１がクリーナ本体と分離され結合部材１４によって結合される構成としたので、図２のクリーナに比較してクリーニングに用いるクリーニングヘッド１１が小型かつ軽量化され、取り扱いが容易になる。
【００３０】
従って、例えば、レンズ交換式ＤＳＣ内のミラーボックスのような狭い空間に配置される部材上の異物の除去を容易に行うことが可能となる。
なお、図２、又は図３で示されるクリーナヘッド１１は、その筐体が、非絶縁性材料で構成される。クリーナヘッド１１の筐体は、不図示の接地手段によって、接地電位に接続されており、筐体表面に発生した静電気が、接地手段を介して、接地電位に放電される構成とされている。
【００３１】
したがって、後述の手法により、少なくともクリーナヘッド１１を、カメラ本体１内に挿入して、異物を排出する際に、クリーナヘッド１１に発生した静電気によって、カメラ本体１外部で、クリーナヘッド１１に付着した異物が、カメラ本体１内に持ちこまれることを防止することができる。
【００３２】
図４は、図１で示される光学的ＬＰＦ８とＣＣＤ９を、図１の左方向から見た図、また図５は、本発明によるクリーナヘッド１１の斜視図である。
図４に示されるとおり、光学的ＬＰＦ８は、通常、ＣＣＤ９の有効撮像エリア９０より大きい形状を有しており、後に詳述する本発明によるクリーナヘッド１１は、スペーサ１００を介して、光学的ＬＰＦ８上の前記有効撮像エリア９０外に接触されている。
【００３３】
クリーナヘッド１１による異物の吸引能力は、クリーナヘッド１１と光学的ＬＰＦ８の表面との間隔によって決定される。
クリーナヘッド１１に、スペーサ１００を設けることによって、クリーナヘッド１１と光学的ＬＰＦ８の間隔を常に適正な状態に保ち、光学的ＬＰＦ８を傷つけることなく、良好な異物除去を行うことができる。
【００３４】
ここで、スペーサ１００は、スペーサ１００によって、光学的ＬＰＦ８の表面が傷つけられるのを防止する為、少なくとも光学的ＬＰＦ８との接触面が、例えばゴムなどの弾性を持つ部材、あるいはフェルトなどで構成される布性の部材等の柔軟性を持つ部材で構成されることが望ましい。
【００３５】
このような構成とすることによって、光学的ＬＰＦ８の表面を傷つけてしまう可能性をさらに低減することができる。
以下、本発明によるクリーナを用いて、異物を除去する動作を説明する。
【００３６】
操作者は、レンズマウント３を介して、カメラ本体１に固定されていたレンズ２を外し、クイックリターンミラー４を、図１矢印の方向に移動、収納し、シャッタ７を開いた状態とした後、図３に示されるクリーナヘッド１１をレンズマウント３近傍の開口Ｂより挿入し、クリーナヘッド１１のスペーサ１００を光学的ＬＰＦ８のＡ面に接触させて配置する。
【００３７】
クリーナ本体１０の少なくとも排出口１３は、カメラ本体１の外部に配置される。
操作者は、図４に示されるようにクリーナヘッド１１を、例えばＣＣＤ９の撮像面長手方向に移動させながら、少なくともＣＣＤ９の有効撮像エリア９０上の光学的ＬＰＦ８表面の異物を除去する。
【００３８】
図６及至図１０は、図３に示されるクリーナヘッド１１を用いた異物除去の動作を説明する説明図である。
なお、図６及至図１０におけるクリーナヘッド１１は、図４に破線で示されるＸ断面より見たクリーナヘッド１１の形状を示しており、不図示のスペーサ１００を用いて、光学的ＬＰＦ８に近接して配置されている。
【００３９】
（第１実施形態）
図６は、本発明による第１の実施形態を示す図であり、図３に示されるクリーナヘッド１１と、異物の付着した光学的ＬＰＦ８との拡大断面図である。
【００４０】
クリーナヘッド１１の先端部は、テーパ状に構成されており、クリーナヘッド１１と、光学的ＬＰＦ８との近傍では、ファン１２の回転によって、図６に矢印で示される向きに高速の空気流が発生する。
【００４１】
クリーナヘッド１１の外部から、吸引口２０へ流れ込む空気流は、クリーナヘッド１１の先端部と、光学的ＬＰＦ８の間の領域に集中し、かつ、クリーナヘッド１１の先端部がテーパ状に構成されている為、その空気流は、ほぼテーパ形状に沿った風向を有している。この為、該空気流によって、図６中に○印で示される光学的ＬＰＦ８上の異物の剥離を促進させることができる。
【００４２】
このようにして、光学的ＬＰＦ８のＡ面から剥離された異物は、クリーナヘッド１１の吸引口２０より吸引され、クリーナ本体１の排出口１３より排出される。
【００４３】
操作者は、クリーナヘッド１１を移動させ、上記動作を、光学的ＬＰＦ８のＡ面全面にわたって繰り返すことにより、異物除去を行うことができる。
このようにして、光学的ＬＰＦ８の清掃を終了すると、操作者は、ファン１２を回転させた吸引状態のまま、クリーナヘッド１１を、カメラ本体１から取り出す。もちろん、ファン１２の回転を停止させた後に、クリーナヘッド１１を、カメラ本体１から取り出す構成としても構わない。
【００４４】
本実施形態によれば、クリーナヘッド１１から異物を吸引する構成としたので、
従来のブロア等による異物除去のように、付着異物を散乱させることなく異物除去を行うことができる。
【００４５】
また、クリーナヘッド１１を、スペーサ１００を介して被清掃部材と離間して配置する構成としたので、狭い空間に配置された光学部材の異物除去を行う場合にも、クリーナヘッド１１と光学部材との間隔を適切に保つことができ、光学部材を傷つけることなく、異物除去を行うことができる。
【００４６】
さらに、スペーサ１００の、少なくとも光学部材との接触面を、例えばゴム、フェルトなどの柔軟部材で構成したので、光学部材を傷つける可能性をさらに低減することができる。
【００４７】
また、異物に近接して配置される異物吸引口と、カメラ本体外部に配置された異物排出口との間が、結合手段によって結合されているので、吸引口より吸引された異物を、カメラ本体外に確実に排出することができる。
【００４８】
さらには、クリーナヘッド１１の先端部をテーパ状の構成としたので、特に異物を剥離させる為に、所定方向をもつ空気流を発生させる発生手段を用いなくともクリーナヘッド１１の先端部と、光学的ＬＰＦ８の間の領域に、異物の剥離を促進させる向きの空気流を集中させることができるので、異物の剥離を促進させることができる。
【００４９】
（第２実施形態）
図７は、本発明による第２の実施形態を示す図であり、図３に示されるクリーナヘッド１１と、異物の付着した光学的ＬＰＦ８との拡大断面図である。
【００５０】
第２の実施形態においては、その先端部がテーパ状に形成されたクリーナヘッド１１は、除電用イオン発生器１５を有する点で、第１実施形態と異なる。
除電用イオン発生器１５の除電性能は、除電用イオン発生器１５と被除電部材（ここでは光学的ＬＰＦ８）との距離によって決定される。
【００５１】
良好な除電性能が得られる上記の距離をＸ、スペーサ１００の厚さをＳとすると、除電用イオン発生器１５の先端からテーパ部先端までの長さＤを、
【００５２】
【数１】
Ｄ＝Ｘ−Ｓ
で与えられる値とすることによって、効率的な異物剥離を行うことができる。
【００５３】
以下、除電用イオン発生器１５の動作について説明する。
除電用イオン発生器１５は、不図示の電源によって駆動され、例えば、コロナ放電によって除電用イオンを発生させる。
【００５４】
除電用イオン発生器１５より発生された除電用イオンは、ファン１２の回転によって発生する空気の流れにのって、光学的ＬＰＦ８と、クリーナヘッド１１の周辺空間領域の電位の不平衡（静電気）を中和させる。
【００５５】
即ち、異物の吸引の際に用いる空気流に起因して発生する帯電が低減され、帯電によって光学的ＬＰＦ８に付着している異物の剥離が促されると共に、光学的ＬＰＦ８等の各部材への異物の再付着が防止される。
【００５６】
剥離された異物は、吸引口２０を介して吸引され、排出口１３より排出される。
本実施形態によれば、クリーナヘッド１１に、除電用イオン発生器１５を設ける構成としたので、異物を吸引する際に用いる空気流によって発生する静電気による帯電を中和することができる。
【００５７】
この為、光学的ＬＰＦ８が浮遊する異物を吸着する可能性を低減させることができると同時に、静電気によって既に付着している異物の剥離を促すことができる。
【００５８】
上記説明においては、除電用イオン発生器１５の発生する除電用イオンによって、光学的ＬＰＦ８の帯電を除去する構成について説明したが、除電用イオン発生器１５のかわりに、接地電位に接続された金属ブラシを、光学的ＬＰＦ８に接触させ、光学的ＬＰＦ８に発生する静電気を除電する構成としても同様の効果を得ることができる。
【００５９】
（第３実施形態）
図８は、本発明による第３の実施形態を示す図であり、図３に示されるクリーナヘッド１１と、異物の付着した光学的ＬＰＦ８との拡大断面図である。
【００６０】
第３の実施形態においては、図３に示されるクリーナヘッド１１は、超音波発生装置１６を有する点で、第１、第２の実施形態と異なる。
光学的ＬＰＦ８に付着した異物は、超音波発生装置１６の発生する空気の粗密波によって剥離が促され、剥離された異物は吸引口２０を介して吸引され、排出口１３より排出される。
【００６１】
本実施形態によれば、クリーナヘッド１１に、超音波発生装置１６を設ける構成としたので、静電気以外の原因によって、光学的ＬＰＦ８に付着している異物を、超音波発生装置１６の発生する空気の粗密波によって剥離することができる。
【００６２】
（第４実施形態）
図９は、本発明による第４の実施形態を示す図であり、図３に示されるクリーナヘッド１１と、異物の付着した光学的ＬＰＦ８との拡大断面図である。
【００６３】
第４の実施形態においては、図３に示されるクリーナヘッド１１は、除電用イオン発生器１５と、超音波発生装置１６とを有する点で、第１、第２、第３の実施形態と異なる。
【００６４】
光学的ＬＰＦ８に付着した異物は、超音波発生装置１６の発生する空気の粗密波、及び除電用イオン発生器１５の発生する除電用イオンによって剥離が促され、剥離された異物は、吸引口２０を介して吸引され、排出口１３より排出される。
【００６５】
さらに、除電用イオン発生器１５の発生する除電用イオンよって、吸引の際に用いる空気流に起因して発生する帯電が中和され、異物の再付着が防止される。本実施形態によれば、クリーナヘッド１１に、除電用イオン発生器１５、及び超音波発生装置１６を設ける構成としたので、静電気の中和、及び超音波により異物の剥離が促され、上記第２、または第３の実施形態に比較して、より効果的に部材上の異物除去を行うことができる。
【００６６】
（第５実施形態）
図１０は、本発明による第５の実施形態を示す図であり、図３に示されるクリーナヘッド１１と、異物の付着した光学的ＬＰＦ８の拡大断面図である。
【００６７】
第５の実施形態においては、図３に示されるクリーナヘッド１１は、クリーニングブラシ２１を有する点で、上記第１〜第４の実施形態と異なる。
クリーニングブラシ２１は、前記金属ブラシに比較して、ブラシを構成する部分が、柔軟な材質で構成され、クリーニングブラシ２１と、光学的ＬＰＦ８とを接触させて、その相対的な位置を移動させることによって、光学的ＬＰＦ８表面に付着した異物を剥離する。
【００６８】
剥離された異物は、吸引口２０を介して吸引され、排出口１３より排出される。
本実施形態によれば、クリーナヘッド１１に、クリーニングブラシ２１を設け、その移動によって、付着した異物を剥離させる構成としたので、上記第１及至第４の実施形態による手法では除去できないような付着の強固な異物について
も、除去することが可能となる。
【００６９】
なお、第５の実施形態において、クリーニングブラシ２１の長さＴ（図１０参照）を、クリーナヘッド１１のテーパ状先端部が、光学的ＬＰＦ８のＡ面に離間して配置されるように設定することで、クリーニングブラシ２１に、スペーサ１００としての機能を持たせることが可能となる。
【００７０】
上記の各実施形態において、ファン１２、除電用イオン発生器１５、超音波発生装置１６等、クリーナの駆動に用いられる電源を、レンズ交換式ＤＳＣ本体から供給される形態とすれば、商用電源のないフィールドでの撮影時に、異物除去が必要になった場合などには特に好適である。
【００７１】
なお、上記の各実施形態においては、クリーナとして、図３に示されるクリーナ、すなわちクリーナ本体とクリーナヘッドとが結合部材によって結合されたクリーナを用いた例について説明したが、これは、図２に示されるようなクリーナ本体とクリーナヘッドとが一体となって構成されたクリーナを用いるものであってもよい。
【００７２】
また、上記の実施形態においては、特に、図１に示されるレンズ交換式ＤＳＣの光学的ＬＰＦ８のＡ面の異物を除去する例について説明したが、本発明は特にこれに限定されることなく、例えば、光学的ＬＰＦ８が、移動、もしくは着脱可能な構成とした場合には、撮像素子であるＣＣＤ９の撮像面、あるいは赤外線カットフィルタ等の光学部材の異物除去に用いることができる。
【００７３】
さらには、画素構造を有しない撮像管などの撮像素子を用いた画像入力装置の場合には、撮像素子の撮像面上の異物除去に用いることもできる。
さらには、上記の各実施形態においては、装置に組み込まれた光学的ＬＰＦやＣＣＤ表面の異物除去を例にとって説明したが、本発明は、特にこれらに限定されることはなく、装置に組み込まれる前の製造過程やリペアパーツとしての保管時においても、各種光学部材の異物除去に用いることができる。
【００７４】
【発明の効果】
以上のように、本発明によれば、クリーナヘッドを、スペーサを用いて光学部材に近接させる構成としたので、光学部材を傷つけることなく異物除去を行える。
【００７５】
また、本発明によれば、クリーナヘッドの先端をテーパ状とする、あるいはクリーナヘッドにクリーニングブラシを設ける、あるいは光学部材を除電する除電手段を設ける、あるいは光学部材に超音波を照射する超音波発生手段を設ける構成としたので、光学部材に付着した異物の剥離が促進され、かつ剥離された異物を吸引する構成としたので、従来に比較して、確実に、異物を除去することができる。
【図面の簡単な説明】
【図１】レンズ交換式ＤＳＣの側面図である。
【図２】本発明によるクリーナの構成例を説明する説明図である。
【図３】本発明によるクリーナの構成例を説明する説明図である。
【図４】光学的ＬＰＦの説明図である。
【図５】本発明によるクリーナヘッドの斜視図である。
【図６】本発明による第１の実施形態を示す図である。
【図７】本発明による第２の実施形態を示す図である。
【図８】本発明による第３の実施形態を示す図である。
【図９】本発明による第４の実施形態を示す図である。
【図１０】本発明による第５の実施形態を示す図である。
【符号の説明】
１・・・カメラ本体
２・・・レンズ
３・・・レンズマウント
４・・・クイックリターンミラー
５・・・ペンタプリズム
６・・・接眼レンズ
７・・・シャッタ
８・・・光学的ローパスフィルタ
９・・・ＣＣＤ
１０・・・クリーナ本体
１１・・・クリーナヘッド
１２・・・ファン
１３・・・排出口
１４・・・結合手段
１５・・・除電用イオン発生器
１６・・・超音波発生装置
２０・・・吸引口
２１・・・クリーニングブラシ
２２・・・操作部材
１００・・スペーサ
【図１】
2004330055.tif 000003
【図２】
2004330055.tif 000004
【図３】
2004330055.tif 000005
【図４】
2004330055.tif 000006
【図５】
2004330055.tif 000007
【図６】
2004330055.tif 000008
【図７】
2004330055.tif 000009
【図８】
2004330055.tif 000010
【図９】
2004330055.tif 000011
【図１０】
2004330055.tif 000012